(57)【特許請求の範囲】
【請求項１】
肌に対する当接面およびその裏側の非当接面を有し、前記両面間に体液を吸収保持することができる本体と、前記本体の両側にそれぞれ位置する側部フラップと、前記本体の両側部の上にそれぞれ位置する防漏フラップとを備えた使い捨ての尿とりパッドにおいて、
前記側部及び防漏フラップが、幅方向と縦方向を有し、前記本体の側縁に沿ってこれを挟み前記本体の表面側及び裏面側にそれぞれ位置して第１部分及び第２部分に区分されるように折曲された一連のシートからなり、
前記本体の表面側に位置する前記シートの第１部分が、前記本体の表面側に接合するとともに、前記本体の裏面側に位置する前記シートの第２部分のほぼ全域が、前記本体の裏面側に接合して、前記本体の側縁から外方へ延出することで環状縁部を有する前記側部フラップが形成され、
前記本体の表面側に位置して前記本体の表面側に接合していない、前記幅方向における前記第１部分の内側縁部に環状縁部を有する前記防漏フラップが形成され、
前記側部及び防漏フラップの内部には、それぞれ弾性部材が、前記縦方向に伸長下に、前記シートの折曲による折曲線から、前記本体に接合した前記側部及び防漏フラップの前記幅方向における各基縁部側へ、１ｍｍ〜２０ｍｍ離間して接合し
前記本体が両側縁及び両端縁とそれら側縁及び端縁が互いに交差する隅部とを有し、前記隅部が傾斜縁に形成され、
前記本体の表面側に対する前記第1部分の前記接合が、前記隅部と前記本体の中央部両側縁とにおいて、かつ、前記幅方向における該第1部分の外側縁近傍においてなされ、
前記本体の裏面にはその端縁に沿ってファスナが設けられているとともに、該ファスナの両端部が前記本体の前記隅部に位置する
ことを特徴とする前記尿とりパッド。
【発明の詳細な説明】
【０００１】
【発明の属する技術分野】
この発明は、排泄された体液を処理するための使い捨ての尿とりパッドに関する。
【０００２】
【従来の技術】
ＷＯ９３／０９７３９号公報には、弾性伸縮性のフラップを有する生理用ナプキンが開示されている。このナプキンは、ナプキンの側縁部を形成する弾性伸縮性の第１フラップと、ナプキンの内面側にあって吸液性コアの上方へ向かって起立可能な弾性伸縮性の第２フラップとを有する。第1フラップは、コアを被覆する透液性の表面シートと不透液性の裏面シートとをコアの側縁部外側で重ね合わせて接合することによって形成され、フラップの自由縁部ではこれら両シート間に第１弾性部材がフラップの長手方向へ伸長状態で延びている。第２フラップは、表面シートの上面に接合したシートで形成され、伸縮性を有する自由縁部では、そのシートが折り重ねられていて、その折り重ねられたシートどうしの間には第２弾性部材が第２フラップの長手方向へ伸長状態で延びている。ナプキンを着用すると、これら第１、２フラップが弾性的に伸縮しながら着用者の肌に当接する。
【０００３】
【発明が解決しようとする課題】
前記公知のナプキンにおいて、第１フラップの自由縁部は、重なり合う表裏面シートをナプキンが所要形状を呈するように裁断した部分であって、ナプキンの外形線の一部を成している。第１弾性部材は、自由縁部に沿って自由縁の近傍に配置され、その自由縁部に伸縮性を与えている。ナプキンを着用したときに、かかる第１フラップの自由縁部、即ち表裏面シートの切り口は、それに丸みがないから着用者の肌を刺激することがある。しかも、第１弾性部材は、その自由縁部の剛性を高めるように作用するから、切り口による刺激を一層高め、ナプキンの着用感を悪くする原因となる。
【０００４】
また、第２フラップの自由縁は、第２弾性部材と、これを巻き込むように折曲されたシートとで形成されており、第２弾性部材とこのシートとが一体となって着用者の肌に食い込むように当接することがある。それゆえ、かかる第２フラップは、ナプキンの着用感を悪くするもう一つの原因となる。
【０００５】
そこで、この発明は、使い捨ての尿とりパッドにおいて、弾性伸縮性フラップによる肌への刺激を和らげることを課題にしている。
【０００６】
【課題を解決するための手段】
前記課題解決のために、この発明が対象とするのは、肌に対する当接面およびその裏側の非当接面を有し、前記両面間に体液を吸収保持することができる本体と、前記本体の両側にそれぞれ位置する側部フラップと、前記本体の両側部の上にそれぞれ位置する防漏フラップとを備えた使い捨ての尿とりパッドである。
【０００７】
かかる尿とりパッドにおいて、この発明が特徴とするところは、次のとおりである。即ち、前記側部及び防漏フラップが、幅方向と縦方向を有し、前記本体の側縁に沿ってこれを挟み前記本体の表面側及び裏面側にそれぞれ位置して第１部分及び第２部分に区分されるように折曲された一連のシートからなる。前記本体の表面側に位置する前記シートの第１部分が、前記本体の表面側に接合するとともに、前記本体の裏面側に位置する前記シートの第２部分のほぼ全域が、前記本体の裏面側に接合して、前記本体の側縁から外方へ延出することで環状縁部を有する前記側部フラップが形成されている。前記本体の表面側に位置して前記本体の表面側に接合していない、前記幅方向における前記第１部分の内側縁部に環状縁部を有する前記防漏フラップが形成されている。前記側部及び防漏フラップの内部には、それぞれ弾性部材が、前記縦方向に伸長下に、前記シートの折曲による折曲線から、前記本体に接合した前記側部及び防漏フラップの前記幅方向における各基縁部側へ、１ｍｍ〜２０ｍｍ離間して接合し、前記本体が両側縁及び両端縁とそれら側縁及び端縁が互いに交差する隅部とを有し、前記隅部が傾斜縁に形成され、前記本体の表面側に対する前記第１部分の前記接合が、前記隅部と前記本体の中央部両側縁とにおいて、かつ、前記幅方向における該第１部分の外側縁近傍においてなされ、前記本体の裏面にはその端縁に沿ってファスナが設けられているとともに、該ファスナの両端部が前記本体の前記隅部に位置する、ことにある。
【０００８】
【０００９】
【００１０】
【００１１】
【００１２】
【００１３】
【発明の実施の形態】
添付の図面を参照し、この発明に係る使い捨ての尿とりパッドの詳細を説明すると、以下のとおりである。
【００１４】
図１は、使い捨ての尿とりパッド１が着衣の一例であるおむつカバー２に取り付けられた状態を示す図面である。おむつカバー２は、不織布製の内面シート３と、プラスチックフィルム製の外面シート４とを重ね合わせたもので、前胴周り域６と、後胴周り域７と、これら両域６，７間に位置する股下域８とを有する。前後胴周り域６，７の胴周り方向へ延びる縁部では、胴周り弾性部材１１，１２が内外面シート３，４間にあって、これらシート３，４の少なくとも一方の内面に伸長状態で取り付けられている。股下域８の前後方向へ延びる側縁部では、脚周り弾性部材１３が内外面シート３，４間にあって、これらシート３，４の少なくとも一方の内面に伸長状態で接合している。後胴周り域７の側縁部からはテープファスナ１５が外方へ延びている。このファスナ１５は、ループ部材とフック部材とで構成されるメカニカルファスナのフック部材からなるもので、おむつカバー２を着用したときに、前胴周り域６の外面シート４に取り付けられているメカニカルファスナのループ部材からなるターゲットテープ１６に止着する。
【００１５】
尿とりパッド１は、おむつカバー２の内面に着脱できるもので、股下域８を中心に前後胴周り域６，７方向へ互いに並行して図の縦方向へ長く延びている一対の側縁１７と、前後胴周り域６，７において胴周り方向へ互いに並行して図の横方向へ延びていてパッド１の隅部において一対の側縁１７と交差する一対の端縁１８（図２を併せて参照）と、パッド１の隅部２１を形成するように側縁１７の末端と端縁１８の末端との間に延びる傾斜した縁１９とを有する。側縁１７の内方には、側縁１７と並行に一対の端縁１８間に延びる防漏フラップ２０が形成されている。
【００１６】
図２、３、４、５は、おむつカバー２から取り外した尿とりパッド１の正面図、背面図、正面図においてパッド１の長さを二分する中心線ＩＶ‐ＩＶに沿った断面図および正面図のＶ−Ｖ線断面図である。パッド１は、着用者の肌に当接する透液性表面シート２２と、表面シート２２の裏側に位置する不透液性裏面シート２３と、これら両シート２２，２３間に介在する体液吸収性のコア２４とからなる本体５を有し、幅を二分して縦方向へ延びる中心線Ｃ−Ｃに関して対称に形成されている。
【００１７】
コア２４は、縦方向へ互いに並行して延びる一対の側縁２４Ａと、互いに並行して横方向へ延びる一対の端縁２４Ｂと、側縁２４Ａの末端から、コア２４の幅が狭くなるように、コア２４の内側へ向かってやや湾曲しながら傾斜して延びて端縁２４Ｂの末端につながる傾斜縁２４Ｃとを有する。側縁２４Ａの縦方向中央部は内側へ湾曲し、コア２４の全体が砂時計形を呈している。
【００１８】
表面シート２２は、コア２４の側縁２４Ａに沿って縦方向へ直線的に延びる側縁２２Ａと、横方向へ延びる端縁２２Ｂと、隅部２１において側縁２２Ａの末端からやや湾曲しながら傾斜して延びて端縁２２Ｂの末端につながる傾斜縁２２Ｃとを有する。
【００１９】
裏面シート２３は、表面シート２２と実質的に同形同大であって、コア２４の側縁２４Ａに沿って直線的に延びる側縁２３Ａと、横方向へ延びる端縁２３Ｂと、隅部２１において側縁２３Ａからやや湾曲しながら傾斜して延びて端縁２３Ｂの末端につながる傾斜縁２３Ｃとを有する。表裏面シート２２，２３は、コア２４の側縁２４Ａの湾曲した部位２４Ｄ、端縁２４Ｂ、傾斜縁２４Ｃのそれぞれから外方へ延出して重なり合い、ホットメルト接着剤（図示せず）を介して互いに接合することによって、本体５から横方向へ延出する側部フラップ１０Ａと縦方向へ延出する端部フラップ１０Ｂとを形成している。
【００２０】
防漏フラップ２０は、不織布やプラスチックフィルム等のシート、好ましくは不透液性、より好ましくは通気不透液性のシート２６で形成されているもので、その長さに特別な制約はなく、図示例では、パッド１の側縁１７に沿って縦方向へ延びて端縁１８と傾斜縁１９とに達している。フラップ２０に使用されたシート２６は、側縁１７で折曲されていて、パッド１の表面側では、表面シート２２に対しホットメルト接着剤２７を介して斜線で示される隅部接合域５１と中央部接合域５２とで接合し（図２、４参照）、パッド１の裏面側では、裏面シート２３に対しホットメルト接着剤２７を介して斜線で示される接合域２８で接合している（図３、４参照）。シート２６はまた、パッド１の表面側では、縦方向へ延びる折曲線３９に沿ってシート２６の内面側へ折曲されて重ねられ、ホットメルト接着剤３０Ａでシート２６どうしが接合し、断面が環状を呈する防漏フラップ２０の縁部４０Ａを形成している。
【００２１】
防漏フラップ２０の縁部４０Ａでは、シート２６どうしの間に、縦方向へ伸長状態で延びる第１弾性部材３４が位置し、この弾性部材３４は、両端部間がホットメルト接着剤（図示せず）を介してシート２６に連続的または間欠的に接合している。かかる第１弾性部材３４は、折曲線３９のすぐ内側にあってもよいが、図示例のように折曲線３９から寸法Ｐだけ離間しており、その寸法Ｐが、少なくとも１ｍｍ、好ましくは１〜２０ｍｍの範囲にあることが望ましい。
【００２２】
さらに、シート２６はパッド１の側縁１７に沿って折曲されて重ねられ、ホットメルト接着剤３０Ｂでシート２６どうしが接合して断面が環状を呈する側部フラップ１０Ａの縁部４０Ｂを形成している。
【００２３】
側部フラップ１０Ａのシート２６どうしの間には、縦方向へ伸長状態で延びる第２弾性部材３６が位置し、シート２６の内面にホットメルト接着剤（図示せず）を介して連続的または間欠的に接合している。かかる第２弾性部材３６は、側縁１７から寸法Ｒだけ離間し，その離間寸法Ｒは、少なくとも１ｍｍ、好ましくは１〜２０ｍｍの範囲にある。第２弾性部材３６は、コア２４の湾曲した部位２４Ｄの外方に位置する側部フラップ１０Ａにギャザーを形成することができるように、その湾曲した部位２４Ｄと向かい合うように配置されている。
【００２４】
図３に示されるように、パッド１の裏面側には、コア２４の端縁２４Ｂそれぞれの内側に矩形のファスナ３１が設けられている。ファスナ３１は、パッド１をおむつカバー２の内面へ取り外し可能に止着するためのもので、これにはメカニカルファスナを形成するフック部材とループ部材とのいずれか一方の部材や粘着テープ等が使用される。ファスナ３１は、パッド１の横方向へ延びた端部３２がパッド１の隅部２１に位置するように、裏面シート２３にホットメルト接着剤や粘着剤によって取り付けられる。
【００２５】
パッド１と一体になったおむつカバー２が着用され、図１のように前後方向へ湾曲すると、パッド１もまた湾曲して、パッド１の第１、２弾性部材３４，３６が収縮する。第１弾性部材３４が収縮すると、防漏フラップ２０はギャザーを生じながら、図４に二点鎖線で示されるように中央接合域５２を基縁部として起立し、パッド１の内側へ向かって開口するポケット２０Ａを形成する。防漏フラップ２０の縁部４０Ａは、着用者の例えば鼠径部に当接する。また、第２弾性部材３６が収縮すると、側部フラップ１０Ａの縁部４０Ｂとコア２４の湾曲部位２４Ｄに沿った基縁部との間にはギャザーが生じ、そのギャザーはパッド１の着用者の肌、例えば脚周りに伸縮しながら当接する。
【００２６】
これら防漏フラップ２０の縁部４０Ａおよび側部フラップ１０Ａの縁部４０Ｂは環状の断面を有し、しかも、第１、２弾性部材３４，３６がそれら縁部４０Ａ，４０Ｂの折曲線３９や実質的な折曲線である側縁１７から離間しているから、これらフラップ２０，１０Ａが肌に当接すると、それぞれの縁部４０Ａ，４０Ｂではシート２６が図４の一点鎖線の如くふくらんだり、押し潰されるように変形して、第１、２弾性部材３４，３６の肌への食い込みを防ぐことができる。第１、２弾性部材３４，３６は、両端部間がシート２６に接合していて縁部４０Ａ，４０Ｂ内で動くことがないから、パッド１の着用状態によらず、第１、２弾性部材３４，３６の食い込みを防ぐことができる。
【００２７】
【００２８】
この発明は、側部フラップ１０Ａと防漏フラップ２０とのうちのいずれか一方だけを有することで実施したり、尿とりパッド１が有する複数のフラップのうちの少なくとも１つのフラップについてこの発明の思想を適用したりすることができる。もっとも、尿とりパッド１の表面側に位置する防漏フラップ２０には坪量の小さい柔軟な不織布を使用することが多い一方で、尿とりパッドの外部を形成する側部フラップ１０Ａには、比較的剛性の高いシート材料を使用することが多いから、例えば側部フラップ１０Ａを形成するときの裏面シート２３やシート２６には表面シート２２には使用することの少ない高剛性のプラスチックフィルムや坪量１５〜５０ｇ／ｍ２の厚手の不織布を使用することが多いから、そのような材料を含む側部フラップ１０Ａに対してこの発明の思想を適用することは、尿とりパッドの着用感を向上させるうえにおいて特に有益である。
【００２９】
かかる発明において、ホットメルト接着剤による部材どうしの接合を溶着やその他の接合手段に代えることができる。
【００３０】
【発明の効果】
この発明に係る使い捨ての尿とりパッドは、弾性伸縮性フラップを形成しているシートをフラップの縁部の断面が環状を呈するようにフラップのその頂縁となる線に沿って折曲して接合し、該フラップに伸縮性を付与する弾性部材をそのシートに対して折曲するときの線からフラップの基縁部よりに少なくとも１ｍｍ離間させたから、フラップの環状縁部が肌に当接するときには、シートがその環状縁部で変形してクッション効果を奏し、弾性部材が肌に食い込むように作用して尿とりパッドの着用感を悪くするという問題を解消することができる。
【図面の簡単な説明】
【図１】使い捨ての尿とりパッドが取り付けられたおむつカバーの斜視図。
【図２】尿とりパッドの部分破断正面図。
【図３】尿とりパッドの部分破断背面図。
【図４】図２のＩＶ‐ＩＶ線切断面を示す図。
【図５】図２のＶ−Ｖ線切断面を示す図。
【符号の説明】
１      尿とりパッド
５      本体
１０Ａ  側部フラップ
１７    側縁
２０    防漏フラップ
２６    シート
３４    弾性部材
３６    弾性部材
３９    折曲線
４０Ａ  縁部
４０Ｂ  縁部
【図１】
0003595471.tif 000002
【図２】
0003595471.tif 000003
【図３】
0003595471.tif 000004
【図４】
0003595471.tif 000005
【図５】
0003595471.tif 000006